(57)【要約】  多段電流駆動方式の駆動回路に光出力補償回路を付加し、光出力補償回路固有の動作特性を考慮すると共に、多段電流駆動回路によって駆動されるＬＥＤアレイの順方向電圧を装置の効率を考慮して効果的に設計することによって、非発光区間を除去し、装置の寿命を延ばすことができるＬＥＤ駆動装置を開示する。ＬＥＤ駆動装置は、複数のＬＥＤグループを備えるＬＥＤアレイに接続され、複数のＬＥＤグループを順次駆動するＬＥＤ駆動装置において、交流電圧を整流することによって脈流電圧を生成する整流部と、整流部の出力端に接続され、脈流電圧が複数のＬＥＤグループでの最小順方向電圧より小さい区間で予め保存された補償電圧をＬＥＤアレイに供給する光出力補償部と、複数のＬＥＤグループの各ＬＥＤグループに接続され、各ＬＥＤグループを定電流で順次駆動する定電流駆動部とを含む。【選択図】図３
2015506105.tif 000002
【特許請求の範囲】
【請求項１】
複数のＬＥＤグループを備えるＬＥＤアレイに接続され、前記複数のＬＥＤグループを順次駆動するＬＥＤ駆動装置において、
交流電圧を整流することによって脈流電圧を生成する整流部；
前記整流部の出力端に接続され、前記脈流電圧が前記複数のＬＥＤグループでの最小順方向電圧より小さい区間で予め保存された補償電圧を前記ＬＥＤアレイに供給する光出力補償部；及び
前記複数のＬＥＤグループの各ＬＥＤグループに接続され、前記各ＬＥＤグループを定電流で順次駆動する定電流駆動部；を含むＬＥＤ駆動装置。
【請求項２】
前記光出力補償部は、第１のキャパシタ、第２のキャパシタ、第１のダイオード、第２のダイオード及び第３のダイオードを備えており、
ここで、前記第１のキャパシタは、前記整流部の高電位側出力端に接続される第１の端子、及び前記第１のダイオードのアノードに接続される第２の端子を備えており、
前記第２のキャパシタは、前記第１のダイオードのカソードに接続される第１の端子、及び前記整流部の低電位側出力端に接続される第２の端子を備えており、
前記第２のダイオードは、前記整流部の低電位側出力端に接続されるアノード、及び前記第１のキャパシタの第２の端子と前記第１のダイオードのアノードに共通に接続されるカソードを備えており、
前記第３のダイオードは、前記第２のキャパシタの第１の端子と前記第１のダイオードのカソードに共通に接続されるアノード、及び前記整流部の高電位側出力端に接続されるカソードを備える、請求項１に記載のＬＥＤ駆動装置。
【請求項３】
前記光出力補償部は、前記第１のキャパシタと前記第２のキャパシタとの間に直列に接続される抵抗器をさらに備える、請求項２に記載のＬＥＤ駆動装置。
【請求項４】
前記光出力補償部は、前記最小順方向電圧より大きい電圧で前記第１及び第２のキャパシタをそれぞれ充電する、請求項２に記載のＬＥＤ駆動装置。
【請求項５】
前記整流部は、前記ＬＥＤアレイの順方向電圧より大きいピーク電圧を有する前記脈流電圧を前記光出力補償部と前記ＬＥＤアレイに印加する、請求項２に記載のＬＥＤ駆動装置。
【請求項６】
前記定電流駆動部は、前記補償電圧によって前記ＬＥＤアレイの少なくとも一つのＬＥＤグループを連続的に発光駆動する、請求項１に記載のＬＥＤ駆動装置。
【請求項７】
交流電圧を整流することによって整流電圧を生成する整流部、
前記整流部の出力端に接続される少なくとも一つの発光素子を含む発光部、及び
前記整流部と前記発光部との間に接続され、前記整流電圧が前記発光素子の順方向電圧より小さい区間で予め保存された整流電圧に対応して前記発光部に電流を供給する光出力補償部を含むＬＥＤ駆動装置。
【請求項８】
前記発光素子のカソードに接続される少なくとも一つのスイッチを含むスイッチ部をさらに含む、請求項７に記載のＬＥＤ駆動装置。
【請求項９】
前記スイッチに流れる電流を感知し、感知された電流の大きさに応じて前記スイッチが短絡または開放されるように制御するスイッチ制御部をさらに含む、請求項８に記載のＬＥＤ駆動装置。
【請求項１０】
前記光出力補償部は、前記整流電圧が設定された第１の電圧以上である区間では前記整流電圧を充電し、前記整流電圧が前記第１の電圧未満である区間では充電された電圧を放電する、請求項７に記載のＬＥＤ駆動装置。
【請求項１１】
前記光出力補償部は、
前記整流部の高電位側出力端と低電位側出力端との間に直列に接続される第１のキャパシタ及び第２のキャパシタ、
前記第１のキャパシタと前記第２のキャパシタとの間に順方向に接続される第１のダイオード、
前記第１のキャパシタにカソードが接続され、前記低電位側出力端にアノードが接続される第２のダイオード、及び
前記第１のダイオードと前記第２のキャパシタとの接続ノードにアノードが接続され、前記整流部の高電位側出力端にカソードが接続される第３のダイオードを備える、請求項７に記載のＬＥＤ駆動装置。
【請求項１２】
前記第１のキャパシタ及び前記第２のキャパシタは、前記整流電圧のピーク電圧を前記キャパシタの段数で割った電圧で充電される、請求項１１に記載のＬＥＤ駆動装置。
【請求項１３】
前記光出力補償部は、前記整流電圧が前記光出力補償部に含まれるキャパシタの段数によって決定される第１の電圧以上であるとき、前記第１のキャパシタと前記第２のキャパシタに電圧が充電され、前記駆動電圧が前記第１の電圧未満であるとき、前記第１のキャパシタ及び第２のキャパシタに充電された電圧を前記発光部に放電する、請求項１１に記載のＬＥＤ駆動装置。
【請求項１４】
前記光出力補償部は、前記第２のダイオードのカソードに一端が接続され、前記第２のキャパシタと前記第３のダイオードとの接続ノードに他端が接続される抵抗器をさらに含む、請求項１１に記載のＬＥＤ駆動装置。
【請求項１５】
前記第１の電圧は、前記発光素子の順方向電圧より大きい、請求項１１乃至１４のいずれか１項に記載のＬＥＤ駆動装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）駆動装置に関し、より詳細には、多段電流駆動方式の駆動回路に光出力補償回路を付加し、光出力補償回路固有の動作特性を考慮すると共に、装置の効率を考慮して多段電流駆動回路によって駆動されるＬＥＤアレイの順方向電圧を効果的に設計することによって、非発光区間を除去し、装置の寿命を延ばすことができるＬＥＤ駆動装置に関する。
【背景技術】
【０００２】
ＬＥＤ（Ｌｉｇｈｔ  Ｅｍｉｔｔｉｎｇ  Ｄｉｏｄｅ）は、光電素子の一種であって、ｐ―ｎ接合を含む複数の半導体層からなる発光構造物を備えており、電気エネルギーを光エネルギーに変換して放出する。ＬＥＤは、光源として用いられる他の装置に比べて、低電圧で高輝度の光を放出することができ、高いエネルギー効率を有するという長所を有する。特に、発光構造物が窒化ガリウム（ＧａＮ）系半導体物質で形成される場合、ＬＥＤは、赤外線及び紫外線の広範囲な波長領域から選ばれる波長の光を放出するように設計することができる。このように、ＬＥＤは、液晶表示装置のバックライトユニット、電光板、表示装置、家電製品などの各種機器に多様に応用できるという長所を有し、また、ヒ素（Ａｓ）、水銀（Ｈｇ）などの環境有害物質を必要としないという長所を有するので、次世代の光源として脚光を浴びている。
【０００３】
また、ＬＥＤは、コンバータによって商用交流電源から変換された直流電圧によって駆動することができる。例えば、従来の交流電源を使用するＬＥＤ駆動回路の最も簡単な形態は、ブリッジダイオードなどの整流回路から出力される直流電圧を用いてＬＥＤ素子を駆動することである。このようなほとんどのＬＥＤ駆動回路においては、ＬＥＤ素子に提供される駆動電圧と駆動電流との間に所定の位相差が発生する。したがって、上述した従来のＬＥＤ駆動回路は、力率及び全高調波歪などの電気的特性が、ＬＥＤ照明などの製品で要求する規格を満たさないという問題を有する。
【０００４】
このような問題を改善するために、多段の駆動スイッチを用いて複数のＬＥＤグループに階段状または矩形波状の駆動電流を供給し、複数のＬＥＤグループを順次駆動する方法が提案されている。多段の駆動スイッチを用いて複数のＬＥＤグループを順次駆動する技術は、米国特許７，０８１，７２２などに開示されており、本出願人であるソウル半導体（株）は、２００６年１１月から多段の駆動スイッチを用いて複数のＬＥＤグループを順次駆動するアークリッチ（Ａｃｒｉｃｈ）製品を商用化している。
【０００５】
図１は、従来の順次駆動方式のＬＥＤ駆動装置の一例を示した構成図である。図２は、図１のＬＥＤ駆動装置に供給される交流電源の交流電圧と交流電流を示した波形図である。
【０００６】
図１に示すように、従来のＬＥＤ駆動装置は、ブリッジダイオード３、スイッチ（ＳＷ１、ＳＷ２、ＳＷ３、ＳＷ４）５及びスイッチ制御部６を備えており、交流電源２を相対的に均一な直流電源に変換する別途のコンバータを用いることなく、ブリッジダイオード３を通じて交流電源２を整流することによって脈流電圧を生成し、生成された脈流電圧をＬＥＤアレイ４に供給する。ＬＥＤアレイ４は、複数のＬＥＤグループを備えており、各ＬＥＤグループは、少なくとも一つのＬＥＤ素子を備えている。
【０００７】
このような従来のＬＥＤ駆動装置では、互いに直列に接続される複数のＬＥＤグループがその入力端からＬＥＤグループの個数の増加と共に段階的に増加する順方向電圧（Ｆｏｒｗａｒｄ  Ｖｏｌｔａｇｅ、Ｖｆ）を有するとき、時間の経過と共に電圧の大きさが変動する脈流電圧の波形に応じて複数のＬＥＤグループが順次発光するように、スイッチ制御部６を通じて各ＬＥＤグループに接続されたスイッチ５を制御する。
【０００８】
上述したＬＥＤ駆動装置は、力率及び全高調波歪曲などの電気的特性が、製品（Ａｐｐｌｉｃａｔｉｏｎ）に要求される規格を満たすように製造しなければならない。すなわち、従来のＬＥＤ駆動装置においては、製品に要求される規格を満たすために、脈流電圧形態の駆動電圧に追従する駆動電流の波形が生成されるように複数のＬＥＤグループの順次発光を制御する。その場合、従来のＬＥＤ駆動装置は、図２に示すように、ＬＥＤ駆動装置に供給される商用交流電源側での交流電圧と交流電流との位相が同一になり、ＬＥＤ駆動装置とこれを用いる製品の力率、全高調波歪などの特性が改善されるという長所を有する。また、上述した従来のＬＥＤ駆動装置は、ＬＥＤグループのターンオン時点を速く設定し、発光しているＬＥＤグループのターンオフ時点を遅く設定することによって、一周期の間の光利用効率を向上させることができるという長所も有する。
【０００９】
しかし、上述した多段電流駆動方式のＬＥＤ駆動装置は、ＬＥＤ駆動装置に使用可能な複数のＬＥＤグループの形態や種類が限定されており、限定された複数のＬＥＤグループから選ばれたＬＥＤグループの順方向電圧が既に固定されているので、各ＬＥＤ駆動装置の最適な組み合わせを構成することが容易でない。すなわち、従来の多段電流駆動方式のＬＥＤ駆動装置は、効率を考慮して複数のＬＥＤグループの順方向電圧を調整または設定することが難しいという短所を有する。
【００１０】
また、上述した多段電流駆動方式のＬＥＤ駆動装置では、駆動電圧または駆動電流が一周期から次の周期に移る区間で、駆動電圧が複数のＬＥＤグループのうち１番目のＬＥＤグループの順方向電圧より小さいときに、非発光区間が生じる。このような光の出力がない区間（非発光区間）は、光震え現象を誘発するという問題を有する。
【発明の概要】
【発明が解決しようとする課題】
【００１１】
本発明は、前記の問題を解決するためのものであって、本発明に係るＬＥＤ（Ｌｉｇｈｔ  Ｅｍｉｔｔｉｎｇ  Ｄｉｏｄｅ）駆動装置は、多段電流駆動方式の駆動回路に光出力補償回路を付加し、光出力補償回路固有の動作特性を考慮すると共に、装置の効率を考慮して多段電流駆動回路によって駆動されるＬＥＤアレイの順方向電圧を効果的に設計することによって、非発光区間を除去し、装置の寿命を延ばすことを目的とする。
【課題を解決するための手段】
【００１２】
前記の目的を達成するために、本発明に係るＬＥＤ（Ｌｉｇｈｔ  Ｅｍｉｔｔｉｎｇ  Ｄｉｏｄｅ）駆動装置は、複数のＬＥＤグループを備えるＬＥＤアレイに接続され、複数のＬＥＤグループを順次駆動するＬＥＤ駆動装置において、交流電圧を整流することによって脈流電圧を生成する整流部；整流部の出力端に接続され、前記脈流電圧が複数のＬＥＤグループでの最小順方向電圧よりも小さい区間で予め保存された補償電圧をＬＥＤアレイに供給する光出力補償部；及び複数のＬＥＤグループの各ＬＥＤグループに接続され、各ＬＥＤグループを定電流で順次駆動する定電流駆動部；を含む。
【００１３】
本発明の一実施形態に係るＬＥＤ駆動装置において、光出力補償部は、第１のキャパシタ、第２のキャパシタ、第１のダイオード、第２のダイオード及び第３のダイオードを備える。ここで、第１のキャパシタは、整流部の高電位側出力端に接続される第１の端子と、第１のダイオードのアノードに接続される第２の端子とを備えており、第２のキャパシタは、第１のダイオードのカソードに接続される第１の端子と、整流部の低電位側出力端に接続される第２の端子とを備えており、第２のダイオードは、整流部の低電位側出力端に接続されるアノードと、第１のキャパシタの第２の端子と第１のダイオードのアノードに共通に接続されるカソードとを備えており、第３のダイオードは、第２のキャパシタの第１の端子と第１のダイオードのカソードに共通に接続されるアノードと、整流部の高電位側出力端に接続されるカソードとを備えている。
【００１４】
本発明の他の実施形態に係るＬＥＤ駆動装置において、光出力補償部は、第１のキャパシタと第２のキャパシタとの間に直列に接続される抵抗器をさらに備える。
【００１５】
本発明の他の実施形態に係るＬＥＤ駆動装置において、光出力補償部は、最小順方向電圧よりも大きい電圧で第１及び第２のキャパシタをそれぞれ充電する。
【００１６】
本発明の他の実施形態に係るＬＥＤ駆動装置において、整流部は、ＬＥＤアレイの順方向電圧よりも大きいピーク電圧を有する脈流電圧を光出力補償部とＬＥＤアレイとに印加する。
【００１７】
本発明の他の実施形態に係るＬＥＤ駆動装置において、定電流駆動部は、補償電圧によってＬＥＤアレイの少なくとも一つのＬＥＤグループを連続的に発光駆動する。
【００１８】
本発明に係るＬＥＤ駆動装置は、交流電圧を整流することによって整流電圧を生成する整流部と、整流部の出力端に接続される少なくとも一つの発光素子を含む発光部と、整流部と発光部との間に接続され、整流電圧が発光素子の順方向電圧よりも小さい区間で予め保存された整流電圧に対応して発光部に電流を供給する光出力補償部とを含む。
【００１９】
本発明の一実施形態に係るＬＥＤ駆動装置は、発光素子のカソードに接続される少なくとも一つのスイッチを含むスイッチ部をさらに含む。
【００２０】
本発明の他の実施形態に係るＬＥＤ駆動装置は、スイッチに流れる電流を感知し、感知された電流の大きさに応じてスイッチが短絡または開放されるように制御するスイッチ制御部をさらに含む。
【００２１】
本発明の他の実施形態に係るＬＥＤ駆動装置において、光出力補償部は、整流電圧が設定された第１の電圧以上である区間では整流電圧を充電し、整流電圧が前記設定された第１の電圧未満である区間では充電された電圧を放電する。
【００２２】
本発明の他の実施形態に係るＬＥＤ駆動装置において、光出力補償部は、整流部の高電位側出力端と低電位側出力端との間に直列に接続される第１のキャパシタ及び第２のキャパシタと、第１のキャパシタと第２のキャパシタとの間に順方向に接続される第１のダイオードと、第１のキャパシタにカソードが接続され、低電位側出力端にアノードが接続される第２のダイオードと、第１のダイオードと第２のキャパシタとの接続ノードにアノードが接続され、整流部の高電位側出力端にカソードが接続される第３のダイオードとを備える。
【００２３】
本発明の他の実施形態に係るＬＥＤ駆動装置において、第１のキャパシタ及び第２のキャパシタは、整流電圧のピーク電圧をキャパシタの段数で割った電圧で充電される。
【００２４】
本発明の他の実施形態に係るＬＥＤ駆動装置において、光出力補償部は、整流電圧が光出力補償部に含まれるキャパシタの段数によって決定される第１の電圧以上であるとき、第１のキャパシタと第２のキャパシタに電圧を充電し、駆動電圧が前記第１の電圧未満であるとき、第１のキャパシタ及び第２のキャパシタに充電された電圧を発光部に放電する。
【００２５】
本発明の他の実施形態に係るＬＥＤ駆動装置において、光出力補償部は、第２のダイオードのカソードに一端が接続され、第２のキャパシタと第３のダイオードとの接続ノードに他端が接続される抵抗器をさらに含む。
【００２６】
本発明の他の実施形態に係るＬＥＤ駆動装置において、第１の電圧は、発光素子の順方向電圧より大きい。
【発明の効果】
【００２７】
前記の構成により、本発明に係るＬＥＤ駆動装置は、多段電流駆動方式の駆動回路にバレイフィル回路などの光出力補償回路を付加し、光出力補償回路固有の動作特性を考慮すると共に、多段電流駆動回路によって駆動されるＬＥＤアレイの順方向電圧を装置の効率を考慮して設計することができる。
【００２８】
本発明の一実施形態に係るＬＥＤ駆動装置は、交流電源を受けて、複数のＬＥＤグループを含むＬＥＤアレイを順次発光させる駆動装置において、コンバータ、平滑回路などの電力変換回路を使用せず、受動素子部品を使用して非発光区間によって誘発される非発光区間を除去することによって、光源の品質を高めることができる。
【００２９】
本発明の他の実施形態に係るＬＥＤ駆動装置は、複数のＬＥＤグループを含むＬＥＤアレイを多段ステップ制御技法によって順次発光させる駆動装置において、光出力補償部を用いることによって、平滑回路などに使用される相対的に体積が大きい電解キャパシタを省略してもよく、その結果、実質的に装置の寿命を延ばすと共に装置を小型化することができ、ＬＥＤ駆動装置を照明器具などの製品にさらに容易に適用することができる。
【図面の簡単な説明】
【００３０】
【図１】従来のＬＥＤ駆動装置の一例を示した構成図である。
【図２】図１のＬＥＤ駆動装置に供給される交流電源の交流電圧と交流電流を示した波形図である。
【図３】本発明に係るＬＥＤ駆動装置の概略的な構成図である。
【図４】図３のＬＥＤ駆動装置の光出力補償部の作動原理を説明するための波形図である。
【図５】図３のＬＥＤ駆動装置の光出力補償部の作動原理を説明するための図である。
【図６】図３のＬＥＤ駆動装置の光出力補償部の作動原理を説明するためのタイミング図である。
【図７】光出力補償部を備えていない比較例のＬＥＤ駆動装置の作動過程を説明するためのタイミング図である。
【図８】本発明の一実施形態に係るＬＥＤ駆動装置に採用可能な光出力補償部の回路図である。
【図９】本発明に係るＬＥＤ駆動装置による光出力補償部の作動原理を説明するための波形図である。
【発明を実施するための形態】
【００３１】
本明細書及び特許請求の範囲に使用された用語や単語は、一般的または辞書的な意味に限定して解釈されるわけではなく、発明者は、発明を最善の方法で説明するために用語の概念を適宜定義できるとの原則に立脚し、本発明の技術的思想に符合する意味と概念として解釈しなければならない。したがって、本明細書に記載した実施例と図面に示した構成は、本発明の最も好ましい一実施形態に過ぎず、本発明の技術的思想を全て代弁するものではないので、本出願時点においてこれらに取って代わる多様な均等物と変形例があり得ることを理解しなければならない。
【００３２】
本明細書で使用される用語は、特定の実施形態を説明するためものであって、本発明を限定するためのものではない。本明細書で使用されたように、単数形態は、文脈上、他の場合を明確に指摘するのでない場合、複数の形態を含めてもよい。
【００３３】
本明細書において、一つの部分が他の部分と"接続"されているとしたとき、これは、"直接的に接続"されている場合のみならず、その中間に他の素子を挟んで"電気的に接続"されている場合も含む。また、図面において、本発明を明確に説明するために説明と関係のない部分は省略し、明細書全体にわたって類似する部分に対しては、類似する図面符号を付した。
【００３４】
実施例
図３は、本発明に係るＬＥＤ駆動装置の概略的な構成図である。
【００３５】
図３を参照すると、ＬＥＤ駆動装置は、整流部１０、光出力補償部１１、第１のスイッチ１３、第２のスイッチ１４及びスイッチ制御部１５を備える。
【００３６】
整流部１０は、交流電源（商用交流電源など）を整流し、交流成分を有する電圧（脈流電圧）を出力する。整流部１０としては、交流電源を全波整流するブリッジダイオードなどの既存の全ての整流回路を用いてもよい。ここで、交流電源は、ＬＥＤ駆動装置の入力電源であって、基本周波数に応じて大きさと方向が変わるという特性を有する。
【００３７】
光出力補償部１１は、整流部１０から出力され、時間の経過と共に電圧の大きさが変動する脈流電圧によって充電され、脈流電圧の特定区間で第１及び第２のＬＥＤグループ１２１、１２２を備えたＬＥＤアレイに非発光区間の除去のための補償電圧を供給する。
【００３８】
本実施形態において、光出力補償部１１は、第１のキャパシタ（Ｃ１）、第２のキャパシタ（Ｃ２）、第１のダイオード（Ｄ１）、第２のダイオード（Ｄ２）及び第３のダイオード（Ｄ３）を備える。ここで、第１のキャパシタ（Ｃ１）は、第１の端子及び第２の端子を備えており、第１の端子が整流部１０の高電位側出力端に接続され、第２の端子が第１のダイオード（Ｄ１）のアノードに接続される。第２のキャパシタ（Ｃ２）は、第１の端子及び第２の端子を備えており、第１の端子が第１のダイオード（Ｄ１）のカソードに接続され、第２の端子が整流部１０の低電位側出力端に接続される。第２のダイオード（Ｄ２）のアノードは低電位側出力端に接続され、そのカソードは、第１のキャパシタの第２の端子と第１のダイオード（Ｄ１）のアノードに共通に接続される。第３のダイオード（Ｄ３）のアノードは、第２のキャパシタ（Ｃ２）の第１の端子と第１のダイオード（Ｄ１）のカソードに共通に接続され、そのカソードは整流部１０の高電位側出力端に接続される。
【００３９】
光出力補償部１１の第１及び第２のキャパシタ（Ｃ１、Ｃ２）は、充電及び放電特性のマッチングのために同一の容量を備えることが好ましい。このような２段キャパシタ回路は、脈流電圧によってＬＥＤアレイに供給される駆動電流の電流ピークを減少させるという効果を有する。したがって、ＬＥＤアレイ１２は、力率及び高調波の改善効果を有する。
【００４０】
また、光出力補償部１１の第１及び第２のキャパシタ（Ｃ１、Ｃ２）は、既存の平滑用電解キャパシタよりも小さい体積及び容量を有してもよく、セラミックキャパシタなどを用いて実現されてもよい。その結果、既存の電解キャパシタの短寿命特性によるＬＥＤ駆動装置の寿命短縮を防止すると共に、ＬＥＤ駆動装置を用いる製品の小型化を図ることができる。
【００４１】
光出力補償部１１は、別途の制御回路を用いることなく、インダクタ（Ｌ）、キャパシタ（Ｃ）、抵抗器（Ｒ）などの受動部品からなるバレイフィル（Ｖａｌｌｅｙ―ｆｉｌｌ）、チャージポンプ（Ｃｈａｒｇｅ―ｐｕｍｐ）、ディザ（Ｄｉｚｚｅｒ）などの力率補償回路の形態を備えてもよい。光出力補償部１１にパッシブ逆流補償回路を用いると、力率及び全高調波歪特性を改善しながら非発光区間を除去することができる。本実施形態においては、説明の便宜上、代表的なパッシブ力率補償回路であるバレイフィル力率補償回路を用いる場合を例に挙げて説明している。
【００４２】
第１のスイッチ（ＳＷ１）１３は、第１のＬＥＤグループ１２１の電流の流れを制御するために第１のＬＥＤグループ１２１の出力端に直列に接続される。第２のスイッチ（ＳＷ２）１４は、互いに直列に接続される第１のＬＥＤグループ１２１及び第２のＬＥＤグループ１２２の電流の流れを制御するために第２のＬＥＤグループ１２２の出力端に直列に接続される。第１及び第２のスイッチ１３、１４は、半導体スイッチで実現され、複数のスイッチを備えるスイッチ部を形成してもよい。半導体スイッチは、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）などを含む。
【００４３】
第１及び第２のスイッチ１３、１４は、複数のスイッチを代表するものであって、本発明の実施形態において、スイッチは、３つ、４つまたはそれ以上の個数で配置されてもよい。併せて、第１及び第２のＬＥＤグループ１２１、１２２は、複数のＬＥＤグループを代表するものであって、本発明の実施形態において、ＬＥＤグループは３つ以上であってもよい。複数のＬＥＤグループは一つのＬＥＤアレイ１２に対応し、各ＬＥＤグループは、一つのスイッチに接続され、スイッチの動作によって定電流で駆動されてもよい。そして、ＬＥＤアレイ１２は、少なくとも２つ以上が直列に接続され、同一の極性が互いに接続された（すなわち、並列に接続された）複数のＬＥＤグループを備えてもよい。各ＬＥＤグループは、少なくとも一つの発光素子を備える。ＬＥＤアレイ１２は、ＬＥＤ駆動装置の制御によって駆動する発光部に対応する。
【００４４】
スイッチ制御部１５は、第１及び第２のスイッチ１３、１４の動作を制御する。スイッチ制御部１５は、第１のスイッチ１３が第１のＬＥＤグループ１２１に流れる駆動電流を定電流で制御し、第２のスイッチ１４が第１及び第２のＬＥＤグループ１２１、１２２に流れる駆動電流を定電流で制御できるように、各スイッチに流れる電流を感知し、各スイッチの動作を制御してもよい。例えば、スイッチ制御部１５は、整流部１０から印加される駆動電圧と光出力補償部１１から印加される補償電圧とによってスイッチに流れる電流が予め設定された大きさに制御されるように、スイッチの制御端子に制御信号を印加してもよい。このようなスイッチ制御部１５は、電流レギュレータで実現されてもよい。
【００４５】
第１及び第２のスイッチ１３、１４がノーマリーオン半導体スイッチである場合、スイッチ制御部１５は、第２のスイッチの動作のために第１のスイッチをターンオフするように動作してもよく、第１のスイッチの動作のために残りのスイッチ（第２のスイッチなど）をターンオフするように動作してもよい。
【００４６】
第１のスイッチ１３、第２のスイッチ１４及びスイッチ制御部１５の組み合わせは、ＬＥＤアレイ１２の複数のＬＥＤグループのそれぞれを定電流で順次駆動する少なくとも一つの定電流駆動部に対応する。
【００４７】
図４は、図３のＬＥＤ駆動装置の光出力補償部の作動原理を説明するための波形図である。図５は、図３のＬＥＤ駆動装置の光出力補償部の作動原理を説明するための図である。
【００４８】
図４及び図５を参照すると、脈流電圧（Ｖｒ）がＬＥＤアレイ１２に印加される第１の区間（Ｔ１）及び第３の区間（Ｔ３）で脈流電圧（Ｖｒ）がＶｐ／２より大きい場合、光出力補償部１１の第１のダイオード（Ｄ１）はターンオンして第１のパス（Ｐａｔｈ１）を形成し、第１のパス上の第１のキャパシタ（Ｃ１）と第２のキャパシタ（Ｃ２）はＶｐ／２で充電される。ここで、第１のキャパシタ（Ｃ１）の電圧と第２のキャパシタ（Ｃ２）の電圧とは同一であると仮定する。脈流電圧は、整流部１０から出力され、所定のピーク電圧（Ｖｐ）を備えており、交流成分によって時間の経過と共に電圧の大きさが周期的に変動する電圧を称する。そして、第１のダイオード（Ｄ１）の順方向電圧は、Ｖｐ／２に比べて非常に低いので無視してもよい。また、脈流電圧（Ｖｒ）がＶｐ／２より大きい場合、第１―１のパス（Ｐａｔｈ１―１）を介して整流部１０から出力される整流電源によってＬＥＤアレイ１２が駆動される。（Ｍｏｄｅ１）
【００４９】
上述した第１のモード（Ｍｏｄｅ１）での効率を式で表現すると、下記の数式１の通りである。
【００５０】
【数１】
2015506105.tif 000003
【００５１】
数式１において、Ｖｐは、脈流電圧の最大値、ＶＬＥＤ１は、第１のＬＥＤグループ（ＬＥＤ１）の駆動電圧、ＶＬＥＤ２は、第２のＬＥＤグループ（ＬＥＤ２）の駆動電圧に対応する。
【００５２】
また、脈流電圧（Ｖｒ）がＶｐ／２以下である場合、光出力補償部１１の第２のダイオード（Ｄ２）及び第３のダイオード（Ｄ３）はターンオンし、それぞれ第２のパス（Ｐａｔｈ２）及び第３のパス（Ｐａｔｈ３）を形成し、第２のパス上に位置してＶｐ／２で充電された第１のキャパシタ（Ｃ１）及び第３のパス上に位置してＶｐ／２で充電された第２のキャパシタ（Ｃ２）は、第２の区間（Ｔ２）で放電し、ＬＥＤアレイ１２に補償電圧を印加する。（Ｍｏｄｅ２）
【００５３】
上述した第２のモード（Ｍｏｄｅ２）での効率を式で表現すると、下記の数式２の通りである。
【００５４】
【数２】
2015506105.tif 000004
【００５５】
本発明に係るＬＥＤ駆動装置は、ＬＥＤアレイの駆動電流をＡＣ電源から直接供給する電流と、光出力補償部（バレイフィル回路など）から供給される電流との組み合わせによって構成することによって、数式１及び数式２から分かるように、各モード別の効率を考慮してＬＥＤグループの順方向電圧を設計することができる。
【００５６】
また、本実施形態に係るＬＥＤ駆動装置において、第１のキャパシタ（Ｃ１）と第２のキャパシタ（Ｃ２）とによって充電される電圧は、入力電源電圧によってＶｐ／２になるので、ＬＥＤアレイの第１のＬＥＤグループ１２１の順方向電圧は補償電圧（Ｖｐ／２）より小さく設定される。
【００５７】
より詳細に説明すると、脈流電圧と補償電圧とを用いた駆動電圧をＬＥＤアレイ１２に供給するとき、補償電圧は、第１のＬＥＤグループ１２１の順方向電圧と第１のスイッチ１３の両端間の電圧（ソース―ドレイン電圧など）との和より大きく設定される。
【００５８】
補償電圧を式で表現すると、次の数式３の通りである。
【００５９】
【数３】
2015506105.tif 000005
【００６０】
数式３において、Ｖｐ／２は、補償電圧で、ＶＬＥＤ１は、第１のＬＥＤグループ（ＬＥＤ１）の順方向電圧で、ＶＳＷ１は、第１のスイッチ（ＳＷ１）の両端間の電圧である。
【００６１】
数式３によると、第１のＬＥＤグループ（ＬＥＤ１）の順方向電圧と第１のスイッチ（ＳＷ１）の両端間の電圧（ＶＳＷ１）との和がバレイフィル回路の充電電圧の最大値より小さくなることが分かる。例えば、補償電圧（Ｖｐ／２）が１５０Ｖで、第１のスイッチ（ＳＷ１）の両端間の電圧（ＶＳＷ１）が１０Ｖ〜２０Ｖであるとき、第１のＬＥＤグループ（ＬＥＤ１）の順方向電圧（ＶＬＥＤ１）は１３０Ｖ〜１４０Ｖになってもよい。この場合の効率関係を概略的に示すと、次の数式２の通りである。
【００６２】
【数４】
2015506105.tif 000006
【００６３】
すなわち、数式４によると、バレイフィル回路（光出力補償部）からＬＥＤに出力される補償電圧（Ｖｐ／２）と第１のＬＥＤグループの順方向電圧との大きさ比が"１"に近いほど、駆動効率が良くなることが分かる。
【００６４】
このように、本発明は、バレイフィル回路またはこれに相応する電圧補償回路をＡＣ多段駆動技術と結合することによって、従来の商用交流電源を直接用いる交流駆動ＬＥＤ技術での短所である光出力ＯＦＦ―Ｔｉｍｅ（ＡＣ電源電圧が第１のＬＥＤグループの順方向電圧以下である。）の条件を改善することができる。
【００６５】
また、バレイフィル回路の動作特性で入力電源電圧がＶｐ／２以下であるとき、ＬＥＤにエネルギーを供給するようになるが、このような特性を考慮して、本発明では、常にオンになっている第１のＬＥＤグループの順方向電圧を数式２に基づいて設計することによって、高効率の駆動装置及びこれを搭載した高効率の照明製品を提供する。
【００６６】
本実施形態では、２段キャパシタ回路を備える光出力補償部を例に挙げて説明したが、本発明は、そのような構成に限定されることなく、３段以上のキャパシタ回路を備える光出力補償部を備えてもよい。その場合、脈流電圧が脈流電圧のピーク電圧（Ｖｐ）をキャパシタの段数で割った値より大きい場合、光出力補償部の各キャパシタは、脈流電圧をキャパシタの段数で割った電圧でそれぞれ充電され、脈流電圧が脈流電圧のピーク電圧（Ｖｐ）をキャパシタの段数で割った値以下である場合、光出力補償部の各キャパシタは、充電された電圧を放電し、ＬＥＤアレイ１２に補償電圧を供給してもよい。
【００６７】
図６は、図３のＬＥＤ駆動装置の光出力補償部の作動原理を説明するためのタイミング図である。図７は、光補償出力部を備えていない比較例のＬＥＤ駆動装置の順次駆動原理を説明するためのタイミング図である。
【００６８】
図６を参照すると、本実施形態に係るＬＥＤ駆動装置は、整流部１０から出力される脈流電圧が複数のＬＥＤグループを備えたＬＥＤアレイ１２に印加されるとき、ＬＥＤアレイに供給される駆動電圧が同時に発光する最小個数のＬＥＤ素子または一つのＬＥＤグループの順方向電圧より低い電圧にならないように、光出力補償部による補償電圧をＬＥＤアレイに供給する。
【００６９】
より具体的に説明すると、ＬＥＤ駆動装置は、整流部の脈流電圧と光出力補償部の補償電圧とを加算した駆動電圧（ＶＬＥＤ）をＬＥＤアレイ１２に印加する。ここで、ＬＥＤアレイ１２に印加される駆動電圧（ＶＬＥＤ）は、図６に示すように、整流部１０からの脈流電圧（Ｖｒ）において所定電圧（Ｖｐ／２）より低い区間（Ｐ１、Ｐ２、Ｐ３）が光出力補償部１１の補償電圧（Ｖｐ／２）で充填された形態を備える。
【００７０】
本実施形態において、駆動電圧がＬＥＤアレイの入力端に位置する第１のＬＥＤグループ１２１の順方向電圧より低いことから、全てのＬＥＤグループが発光しない非発光区間が発生することを防止するために、ＬＥＤ駆動装置は、ＬＥＤアレイ１２の第１のＬＥＤグループ１２１の順方向電圧より高い電圧（Ｖｐ／２）で光出力補償部１１のキャパシタ（Ｃ１、Ｃ２）を充電する。
【００７１】
本実施形態によると、ＬＥＤアレイの第１のＬＥＤグループ（ＬＥＤ１）は、第１のスイッチ（ＳＷ１）のターンオン動作と第２のスイッチ（ＳＷ２）のターンオン動作によってＬＥＤ駆動装置が動作する全区間（ｔ０―ｔ１０）で発光し、ＬＥＤアレイの第２のＬＥＤグループ（ＬＥＤ２）は、第２のスイッチ（ＳＷ２）のターンオン動作によって第２のスイッチ（ＳＷ２）がターンオン状態である区間（ｔ２―ｔ３及びｔ７―ｔ８）で発光する。このように、本実施形態に係るＬＥＤ駆動装置は、ＬＥＤアレイの複数のＬＥＤグループを順次発光させるとき、脈流電圧と補償電圧とを用いて既存の非発光区間を除去することができる。
【００７２】
本実施形態では、光出力補償部の第１のキャパシタ（Ｃ１）と第２のキャパシタ（Ｃ２）に充電されるエネルギー（Ｖｐ／２など）を用いてＬＥＤアレイ１２の非発光区間で第１のＬＥＤグループ（ＬＥＤ１）を発光させることを説明しているが、本発明は、そのような構成に限定されることなく、ＬＥＤアレイの複数のＬＥＤグループの接続構造やステップ数に応じて変更が可能である。例えば、非発光区間で発光させる複数のＬＥＤグループの順方向電圧に合わせて光出力補償部のキャパシタの段数を２段ではないｎ段に増加させてもよい。ここで、ｎは、３以上の自然数である。
【００７３】
一方、図７を参照すると、比較例のＬＥＤ駆動装置は、上述した光出力補償部の補償電圧を用いることなく、脈流電圧である駆動電圧（ＶＬＥＤ０）とこれによる駆動電流（ＩＬＥＤ０）をＬＥＤアレイに供給する。ＬＥＤアレイに供給される駆動電圧（ＶＬＥＤ０）は、０Ｖから最大電圧（Ｖｐ）まで周期的に変動する電圧を有する。脈流電圧形態の駆動電圧（ＶＬＥＤ０）により、比較例のＬＥＤ駆動装置は、ＬＥＤアレイの複数のＬＥＤグループの順次駆動時に非発光区間（Ｐ４）が形成され、その結果、光源部であるＬＥＤアレイで光出力がない区間（非発光区間）が生じる。
【００７４】
すなわち、比較例において、ＬＥＤアレイの第１のＬＥＤグループ（ＬＥＤ１）及び第２のＬＥＤグループ（ＬＥＤ２）は、第１のスイッチ（ＳＷ１）と第２のスイッチ（ＳＷ２）の動作によって順次発光し、また、駆動電圧の周期ごとに第１のＬＥＤグループ（ＬＥＤ１）と第２のＬＥＤグループ（ＬＥＤ２）が同時に発光しない非発光区間（Ｐ４）が生じる。
【００７５】
本実施形態に係るＬＥＤ駆動装置の光出力補償部によるＬＥＤアレイの作動過程を図３及び図６を参照して説明すると、次の通りである。
【００７６】
まず、ＬＥＤ駆動装置が動作する前に、第１のスイッチ（ＳＷ１）と第２のスイッチ（ＳＷ２）とは短絡またはオン状態であると仮定する。
【００７７】
光出力補償部がないと仮定するとき、駆動電圧（ＶＬＥＤ０）がＬＥＤアレイ１２の第１のＬＥＤグループ１２１の順方向電圧より低い場合、第１のＬＥＤグループ１２１及び第２のＬＥＤグループ１２２には、電流が流れない非発光区間が生じる（図７のｔ０―ｔ１、ｔ４―ｔ６及びｔ９―ｔ１０参照）。
【００７８】
しかし、本発明に係るＬＥＤ駆動装置は、脈流電圧が特定の区間（図６のＰ１、Ｐ２、Ｐ３区間に対応する）で光出力補償部１１のキャパシタ（Ｃ１、Ｃ２）に充電された電圧（Ｖｐ／２）より低い場合、光出力補償部１１が特定の区間（Ｐ１、Ｐ２、Ｐ３）において第２のパス（Ｐａｔｈ２）及び第３のパス（Ｐａｔｈ３）を介してＬＥＤアレイ１２に補償電圧を供給する。ここで、駆動電圧（ＶＬＥＤ）は、脈流電圧（Ｖｒ）と補償電圧とを加算した電圧に対応する。ここで、補償電圧は、ＬＥＤアレイ１２が順次駆動されるとき、特定の区間（Ｐ１、Ｐ２、Ｐ３）で光出力補償部１１の電流がＬＥＤアレイ１２に供給されるように機能する。このために、補償電圧、すなわち、第１のキャパシタ（Ｃ１）と第２のキャパシタ（Ｃ２）に充電される電圧は、第１のＬＥＤグループ１２１の順方向電圧より大きく設定される。
【００７９】
特定の区間（Ｐ１、Ｐ２、Ｐ３）で駆動電圧（ＶＬＥＤ）が第１のＬＥＤグループ１２１に印加されると、比較例の場合と異なって、第１のＬＥＤグループ１２１は、第１のスイッチ１３の動作によって駆動される。このとき、スイッチ制御部１５は、第１のスイッチ１３に流れる電流を感知し、第１のスイッチ１３に流れる電流が予め設定された電流になるように第１のスイッチ１３に制御信号を印加する。
【００８０】
このように、本実施形態に係るＬＥＤ駆動装置は、脈流電圧が第１のＬＥＤアレイ１２１の順方向電圧より小さい区間で光出力補償部１１の補償電圧をＬＥＤアレイ１２に印加することによって、ＬＥＤアレイ１２の全てのＬＥＤグループが同時に発光しないことを防止することができる。
【００８１】
次に、駆動電圧が特定の区間でＶｐ／２電圧より大きく、互いに直列に接続された第１及び第２のＬＥＤグループ１２１、１２２の順方向電圧より小さい場合、光出力補償部１１のキャパシタ（Ｃ１、Ｃ２）には第１のパス（Ｐａｔｈ１）による電圧が充電され、ＬＥＤアレイ１２の第１のＬＥＤグループ１２１は、第１のスイッチ１３の動作によって定電流で駆動される。
【００８２】
次に、駆動電圧が特定の区間でＬＥＤアレイ１２の順方向電圧より大きい場合、光出力補償部１１のキャパシタ（Ｃ１、Ｃ２）は脈流電圧によって充電され、第１のＬＥＤグループ１２１及び第２のＬＥＤグループ１２２は、第１の駆動スイッチのターンオフ動作と第２の駆動スイッチのターンオン動作によって発光する。
【００８３】
図８は、本発明の実施形態に係るＬＥＤ駆動装置に適用可能な光出力補償部の回路図である。
【００８４】
図８を参照すると、本実施形態に係る光出力補償部は、第１のキャパシタ（Ｃ１）、第２のキャパシタ（Ｃ２）、第１のダイオード（Ｄ１）、第２のダイオード（Ｄ２）、第３のダイオード（Ｄ３）及び第１の抵抗器（Ｒ１）を備える。第１の抵抗器（Ｒ１）は、ダンピング抵抗に対応する。
【００８５】
第１のキャパシタ（Ｃ１）は、第１の端子及び第２の端子を備えており、第１の端子が整流部１０の高電位側出力端に接続され、第２の端子が第１のダイオード（Ｄ１）のアノードに接続される。
【００８６】
第１のダイオード（Ｄ１）のカソードは、第１の抵抗器（Ｒ１）の第１の端子に接続される。ここで、第１の抵抗器（Ｒ１）は、第１の端子及び第２の端子を備える。
【００８７】
第２のキャパシタ（Ｃ２）は、第１の端子及び第２の端子を備えており、第１の端子が第１の抵抗器の第２の端子に接続され、第２の端子が整流部１０の低電位側出力端に接続される。
【００８８】
第２のダイオード（Ｄ２）のアノードは低電位側出力端に接続され、そのカソードは、第１のキャパシタの第２の端子と第１のダイオードＤ１のアノードに共通に接続される。
【００８９】
第３のダイオード（Ｄ３）のアノードは第２のキャパシタ（Ｃ２）の第１の端子と第１の抵抗器（Ｒ１）の第２の端子に共通に接続され、そのカソードは、整流部１０の高電位側出力端に接続される。
【００９０】
本実施形態によると、二つのキャパシタ（Ｃ１、Ｃ２）間に第１の抵抗器（Ｒ１）を配置することによって、光出力補償部のキャパシタが充電動作するとき、突入電流によってキャパシタに過電流が充電されたり、過電流によってキャパシタやダイオードが損傷されることを防止することができる。
【００９１】
図９は、本発明の実施形態に係るＬＥＤ駆動装置による光出力補償部の作動原理を説明するための波形図である。
【００９２】
図５及び図９を参照すると、本実施形態に係るＬＥＤ駆動装置は、入力交流電源を全波整流する整流部１０での脈流電圧（Ｖｒ）及び出力電流（Ｉｒ）をＬＥＤアレイ１２及び光出力補償部１１に供給する。光出力補償部１１は、脈流電圧が所定電圧（Ｖｐ／２）より大きい区間（概略的に、ｔ２―ｔ３及びｔ７―ｔ８）で光出力補償部１１の二つのキャパシタ（Ｃ１、Ｃ２）を充電する。
【００９３】
したがって、ＬＥＤ駆動装置は、外部の電源供給装置（商用交流電源を供給する電源供給装置など）から前記の区間で二つのキャパシタ（Ｃ１、Ｃ２）を充電するための電流（Ｉｃａｐ）をさらに受信する。すなわち、ＬＥＤ駆動装置において、整流部１０の出力電流（Ｉｒ）は、ＬＥＤアレイ１２の第１及び第２のＬＥＤグループ１２１、１２２を順次駆動するときに要求される電流と、光出力補償部１１を充電するための電流（Ｉｃａｐ）とを加算したものになる。
【００９４】
所定電圧（Ｖｐ／２）で充電された二つのキャパシタ（Ｃ１、Ｃ２）は、脈流電圧（Ｖｒ）がＶｐ／２より低い電圧になる区間（概略的に、ｔ０―ｔ１、ｔ４―ｔ６、及びｔ９―ｔ１０）で放電し、ＬＥＤアレイ１２に補償電圧を供給する。
【００９５】
上述した構成によると、本実施形態に係るＬＥＤ駆動装置は、既存の非発光区間（図７のＰ４参照）でのＬＥＤアレイ１２の駆動電流（ＩＬＥＤ）が残りの区間（ｔ１―ｔ４、ｔ６―ｔ９）での駆動電流より大きい値を有するように設定することができる。このような設定は、光出力補償部１１の二つのキャパシタ（Ｃ１、Ｃ２）の容量を増大させ、二つのキャパシタ（Ｃ１、Ｃ２）によって駆動電流が補償される区間（ｔ４―ｔ６）を相対的に短くすることを含む。
【００９６】
このように、本実施形態に係るＬＥＤ駆動装置は、ＬＥＤアレイ１２の非発光区間を除去し、既存の非発光区間での光出力（Ｆｌｕｘ）を補償することによって光効率を増大させることができる。
【００９７】
以上のように、本発明に係るＬＥＤ駆動装置は、脈流電圧を用いて光源部に属した複数のＬＥＤグループを順次駆動しながら光出力補償部によって非発光区間を除去することによって、力率（Ｐｏｗｅｒ  Ｆａｃｔｏｒ、ＰＦ）と全高調波歪（Ｔｏｔａｌ  Ｈａｒｍｏｎｉｃ  Ｄｉｓｔｏｒｔｉｏｎ、ＴＨＤ）を改善すると共に、非発光区間を除去するという効果を提供する。また、本発明に係るＬＥＤ駆動装置は、整流部の脈流電圧をそのまま用いるので、既存の整流部出力端に接続される電解キャパシタを除去することができ、その結果、電解キャパシタの寿命問題によるＬＥＤ駆動装置と該ＬＥＤ駆動装置が搭載される照明製品の寿命を実質的に増加させるという効果を提供する。併せて、相対的に体積が大きい電解キャパシタを除去することによって、駆動装置の小型化及び薄型化と共に、ＬＥＤ駆動装置を搭載した製品の小型化及び薄型化に寄与するという効果を提供する。
【００９８】
本発明は、以上で説明したように、好ましい実施形態を挙げて図示して説明したが、前記の実施形態に限定されるものではなく、本発明の思想を逸脱しない範囲内で当該発明の属する技術分野で通常の知識を有する者によって多様な変更、置換、修正が可能であり、このような変更、置換、修正などは、本発明の特許請求の範囲に属するものと見なすべきであろう。
【図１】
2015506105.tif 000007
【図２】
2015506105.tif 000008
【図３】
2015506105.tif 000009
【図４】
2015506105.tif 000010
【図５】
2015506105.tif 000011
【図６】
2015506105.tif 000012
【図７】
2015506105.tif 000013
【図８】
2015506105.tif 000014
【図９】
2015506105.tif 000015
【国際調査報告】
2015506105.tif 000016
2015506105.tif 000017
2015506105.tif 000018
2015506105.tif 000019